(57)【要約】      （修正有）【課題】破壊力に対し容易に変形して鎌片と譲受との係止関係を維持し、防犯上好適な面付鎌錠を提供する。【解決手段】開き戸Ｂの戸先側の屋内側面に取付ける錠枠１に、屋内において回動操作可能にして主軸７を見込み方向に横設し、該主軸７に前記錠枠１に設けた窓口を出入して戸枠Ａの屋内側面に設けた錠受１０を係離する鎌片８の基部片８ｂを取付ける。前記窓口を設けた中央部片１ａと該中央部片１ａに相対して連設した一対の側部片１ｂを備えて成る錠枠１の前記開き戸Ｂに止着する一方の前記側部片を介して前記開き戸Ｂに見込み方向に重ねる他方の前記側部片１ｂに、前記錠受１０に係止したときの前記鎌片８の上下両端縁８´，８´´が見込み方向に重なり合う切込み１１，１１´を前記窓口１３に連通させて設ける。【選択図】図１
2006063555.tif 000002
【特許請求の範囲】
【請求項１】
開き戸の戸先側の屋内側面に取付ける錠枠に屋内において回動操作可能にして主軸を見込み方向に横設し、該主軸に前記錠枠に設けた窓口を出入して戸枠の屋内側面に設けた錠受を係離する鎌片の基部を取付けた面付鎌錠において、前記錠枠は前記窓口を設けた中央部片と該中央部片に相対して連設した一対の側部片を備え、該錠枠の前記開き戸に止着する一方の前記側部片を介して前記開き戸に見込み方向に重ねる他方の前記側部片には、前記錠受に係止したときの前記鎌片の上下両端縁が見込み方向に重なり合う切込みを前記窓口に連通させて設けた、面付鎌錠。
【発明の詳細な説明】
【技術分野】
【０００１】
本発明は面付鎌錠に関するものである。
【背景技術】
【０００２】
具体例を挙げるまでもなく面付鎌錠は公知である。概し、面付鎌錠は、開き戸の戸先側の屋内側面に取付ける錠枠に屋内面側から回動（開閉）操作可能にして主軸を横設し、該主軸に前記錠枠に設けた窓口を出入して戸枠の屋内側面に設けた錠受を係離する鎌片の基部を取付けた構成となっている。
【発明の開示】
【発明が解決しようとする課題】
【０００３】
前記従来構造のものは、バール等で開き戸に屋外側から破壊力を負荷すると（こじ開けようとすると）、該破壊力は前記開き戸の開き方向に負荷されるものではあるが、開き戸の破壊に伴う、鎌錠（錠枠）の変形（破壊）時に錠片を主軸を軸として回動し、錠受から離れ、容易に、開き戸が開放可能となり、不当な侵入者の期待するところとなり勝ちであった。
【０００４】
そのため、この破壊力に対処する（防犯効果を得る）ために、破壊力の負荷によって錠片が容易に回動しないように様々な装置が付加されることになり、必然的に構造が複雑となって製品を比較的高価格で提供せざるを得ないこととなっている。
【０００５】
本発明は、簡単な構造で破壊力に対応し、防犯上好適な面付鎌錠を提供すべく創案したものである。
【課題を解決するための手段】
【０００６】
開き戸の戸先側の屋内側面に取付ける錠枠に屋内において回動操作可能にして主軸を見込み方向に横設し、該主軸に前記錠枠に設けた窓口を出入して戸枠の屋内側面に設けた錠受を係離する鎌片の基部を取付けた面付鎌錠において、前記錠枠は前記窓口を設けた中央部片と該中央部片に相対して連設した一対の側部片を備え、該錠枠の前記開き戸に止着する一方の前記側部片を介して前記開き戸に見込み方向に重ねる他方の前記側部片には、前記錠受に係止したときの前記鎌片の上下両端縁が見込み方向に重なり合う切込みを前記窓口に連通させて設けた構成とするのである。
【作用効果】
【０００７】
鎌片を錠受に係止した施錠状態時に開き戸に屋外側から破壊力を加えると（こじ開けようとすると）、開き戸に対する開き方向の外力が錠枠の一方の側部片に設けた切込み間に負荷され変形し易くなり、鎌片の基部を取付けた主軸の回動前に該一方の側片部が変形屈曲し、鎌片の回動を妨げ、該鎌片と錠受との係止関係を維持し、防犯性能の優れた面付鎌錠を提供できる。
【実施例】
【０００８】
図面は本発明に係る面付鎌錠の一実施例を示し、図１は施錠状態の一部欠截正面図、図２は図１の横断面図、図３は錠枠の側面図、図４は破壊した状態の斜視図である。
【０００９】
図中、１は錠枠で、錠枠１は中央部片１ａの両側に一対の側部片１ｂ，１ｂ´を相対して連設した断面コ形状の枠体で成り、一方の側部片１ｂ´の長手方向の両側に固定ねじ２用の透孔３を設け、該透孔３に一致するドライバー等の工具挿通用の透孔４を他の一方の側部片１ｂに設け、これら透孔３，４間の内側には前記側部片１ｂ，１ｂ´間にして一対の補強杆５，５を架設して構成したものである。
【００１０】
この錠枠１の、一方の前記側部片１ｂには、該側部片１ｂの外側（屋内側）から摘み６に突設した主軸７を貫通させ、該主軸７先端を前記側部片１ｂ，１ｂ´間に介在させた鎌片８の基部片８ｂと座金９に順次貫通させて座金９にかしめ止めして、前記鎌片８を基部片８ｂにおいて回動自在に取付けてある。
【００１１】
鎌片８は前記基部片８ｂにほぼＬ字形の係止部片８ａを連設して構成し、基部片８ｂを、前記の通り、主軸７に取付けて、主軸７に一体にした前記摘み６の操作によって主軸７に伴われて回動するものである。
【００１２】
この鎌片８の前記係止部片８ａは、摘み６の前記操作により前記錠枠１内から側部片１ｂ，１ｂ´間を通じて出入し、該側部片１ｂ，１ｂ´間、すなわち、出入用の窓口１３を、錠枠１の前記中央部片１ａを開口して設け、該窓口１３を通じて錠枠１より突出する鎌片８の、先端の係止部片８ａは錠受１０の受部片１０ａに係止して開き戸Ｂを施錠する。
【００１３】
この施錠時すなわち鎌片８（の係止部片８ａ）を錠受１０（の受部片１０ａ）に係止したとき、鎌片８は全体としてほぼ水平に配されるが、このときの鎌片８基部片８ｂの上下両縁８´，８´´と見込み方向に重なり合うようにして、該鎌片８を回動自在に取付けた、錠枠１の、一方の前記側部片１ｂに、開口端が前記窓口１３に連通する、上下の切込み１１，１１´を設け、該切込１１，１１´間を舌状部片１２としてある。
【００１４】
舌状部片１２は、屈曲して容易に変形するようにして前記側部片１ｂ（錠枠１）に設けたもので、この舌状部片１２を構成する、前記切込１１，１１´の深さ（長さ）を深くする程、容易な屈曲変形を期待できる。
【００１５】
切込み１１，１１´は直線上にしてあるが、曲線状でも不都合はなく、要は、適宜の深さを成し、かつ、鎌片８の上下両端縁８´，８´が切込み１１，１１´間において舌状部片１２に見込み方向に重なり合えば良いのである。
【００１６】
前記錠受１０は、取付部片１０ｂの長手方向に沿う一端の中央部分に取付部片１０ｂに対して折曲状にして前記受部片１０ａを連設し、該受部片１０ａの自由端に前記取付部片１０ｂに相対する補強部片１０ｃを連設した、断面コ形枠体で成り、補強部片１０ｃと取付部片１０ｂ間に、前記錠枠１と同様にして補強杆１４を架設し、取付部片１０ｂの長手方向の両側には固定ねじ１５用の透孔１６を設けたものである。
【００１７】
しかし、開き戸Ｂ側に固定ねじ２を用いて鎌片８を回動自在に装置した錠枠１を、戸枠Ａ側に錠受１０を固定ねじ１５を用いてそれぞれ固着して用いるのであって、摘み６の操作によって主軸７を回動させ、これに取付けた鎌片８の係止部片８ａを窓口１３を通じて錠枠１より突出させて錠受１０の受部片１０ａに係止させることにより施錠状態を得られる。
【００１８】
この状態で開き戸Ｂに対し、殊に、開き戸Ｂの施錠部と認められる鎌片８と錠受１０との係止部に屋外側からバール等による破壊力が負荷されると（開き戸Ｂをこじ開けようとすると）、鎌片８に見込み方向（屋外方向）へと外力が与えられるため鎌片８は錠枠１の、一方の側部片１ｂを押圧することになり、その押圧力は切込み１１，１１´間の側部片１ｂ部分、舌状部片１２に負荷されるため該部分（切込み１１，１１´間の側部片部分）は屈曲変形し、該屈曲変形と共に前記押圧力によって鎌片８も屈曲変形し、側部片１ｂ，１ｂ´間より屋内方向に突出、すなわち、側部片１ｂと見付け方向に重なり合うことになり、前記主軸７を中心とする鎌片８の回動力（外力による）に対し、それを規制し、鎌片８と錠受１０の係止状態は保たれ、前記の破壊力に対処して開き戸Ｂの開放の妨害状態を得られるのである。
【図面の簡単な説明】
【００１９】
【図１】施錠状態の一部欠截正面図。
【図２】図１の横断面図。
【図３】錠枠の側面図。
【図４】破壊した状態の斜視図。
【符号の説明】
【００２０】
１            錠枠
１ａ          中央部片
１ｂ，１ｂ´  側部片
７            主軸
８            鎌片
１０          錠受
１１，１１´  切込み
１３          窓口
Ａ            戸枠
Ｂ            開き戸
【図１】
2006063555.tif 000003
【図２】
2006063555.tif 000004
【図３】
2006063555.tif 000005
【図４】
2006063555.tif 000006